(57)【要約】【課題】  各種電子機器をモジュールボタン化することにより、簡単に衣服やカバンに取り付けられるようにする。【解決手段】  本発明は機能性モジュールボタンを少なくとも１個有する物品１である。この物品は、ベース１１と、前記ベース１１に配置した第1係合部１２と、前記第1係合部１２に対して、はめ込みと取り外しが可能な機能性モジュールボタン１３と、前記機能性モジュールボタンに給電する導電線１７を有する。機能性モジュールボタンとしては、例えば、他の機能性モジュールボタンに対して給電するバッテリーモジュールボタン（１３３）や外部装置に対して送受信を可能とする送受信モジュールボタン（１３２）がある。【選択図】  図１
2018007990.tif 000002
【特許請求の範囲】
【請求項１】
ベース（１１）と、
前記ベース（１１）に配置した第1係合部（１２）と、
前記第1係合部（１２）に対して、はめ込みと取り外しが可能な機能性モジュールボタン（１３）と、
前記機能性モジュールボタンに給電する導電線（１７）
を有することを特徴とする、機能性モジュールボタンを有する物品（１）。
【請求項２】
ほかの機能性モジュールボタンに対して給電するバッテリーモジュールボタン（１３３）を有する請求項１記載の物品（１）。
【請求項３】
外部装置に対して送受信を可能とする送受信モジュールボタン（１３２）、
物体の移動速度を計測する機能を有する加速度センサモジュールボタン、
画像を撮影する機能を有するカメラモジュールボタン（１３１）、
集音・拡声機能を有するマイク・スピーカーモジュールボタン（１３６）、
位置情報を得る機能を有するＧＰＳセンサモジュールボタン（１３５）、
他のモジュールボタンを操作する機能を有するタッチセンサーモジュールボタン、
データを記憶する機能を有するメモリーモジュールボタン、
キーを使わずにロック解除する機能を有するリモートキーモジュールボタン、
着用者の脈拍を検知する機能を有するバイタルセンサーモジュールボタン、
振動を感知する機能を有するバイブモジュールボタン（１３４）
のうちの少なくとも１つをさらに有する請求項１又は２記載の物品（１）。
【請求項４】
前記導電線（１７）が前記ベース（１１）内部に埋め込まれていて洗濯に耐えられるものである請求項１〜３のいずれかに記載の物品（１）。
【請求項５】
前記ベース（１１）が、テープ、ワッペン、プレートのいずれかである請求項１〜４のいずれかに記載の物品（１）。
【請求項６】
請求項１の物品（１）と組み合わせて使用する第２の物品（１Ａ）であって
ベース（１１Ａ）と、
前記ベース（１１Ａ）の外側に配置した第２係合部（１２Ａ）と、
前記ベース（１１Ａ）の内側に配置した及び第３係合部（１２Ｂ）と、
前記第２係合部（１２Ａ）に対して、はめ込みと取り外しが可能な機能性モジュールボタン（１３Ａ）と、
前記機能性モジュールボタン（１３Ａ）に給電する導電線（１７Ａ）を有するものであって、
前記第３係合部（１２Ｂ）に対して、請求項１の物品の前記機能性モジュールボタン（１３）がはめ込みと取り外し可能である
ことを特徴とする物品（１Ａ）。
【請求項７】
請求項１〜６のいずれかに記載の前記物品（１，１Ａ）が取り付けられた衣服（Ｊ１，Ｊ２）。
【請求項８】
請求項１〜６のいずれかに記載の前記物品（１，１Ａ）が取り付けられた装身具。
【請求項９】
請求項１〜６のいずれかに記載の前記物品（１，１Ａ）が取り付けられたカバン（Ｂ）。
【請求項１０】
請求項１〜６のいずれかに記載の前記物品（１，１Ａ）が取り付けられたカーテン（Ｃ）。
【発明の詳細な説明】
【技術分野】
【０００１】
本発明は、さまざまな機能を有するモジュールをボタンのようにしたもの（以下、「モジュールボタン」という）を少なくとも１個有する物品に関する。そのような物品としては、例えば、テープ、ワッペン、プレートなどがあり、その物品の主な使用対象としては、例えば、衣服、装身具、カバンなどのアパレル付属品やカーテンなどの内装品がある。
【背景技術】
【０００２】
携帯型デジタル音楽プレイヤーやウェアラブルカメラなどに代表されるように、現代では、さまざまな電子機器が小型軽量化され、携帯に便利になっている。例えば、ウェアラブルカメラについて、特開２００４−３５６９７０など多数の発明が公知である。
【先行技術文献】
【特許文献】
【０００３】
【特許文献１】特開２００４−３５６９７０
【発明の概要】
【発明が解決しようとする課題】
【０００４】
小型軽量となったとはいえ、そのような従来の電子機器はカバンに入れたり、衣類のポケットに収容したり、バンドで体に巻きつけたりしていているので、身につけるのがわずらわしく、紛失しやすく、外部から見て見栄えのよいものではなかった。
【０００５】
本発明は、このような各種電子機器をモジュールボタン化することにより、簡単に衣服やカバンに取り付けられるようにすることを目的とする。また、スマートフォンなどの外部装置に対して送受信可能とすることにより、一層その機能性を高めることを目的とする。
【課題を解決するための手段】
【０００６】
本発明の、機能性モジュールボタンを有する物品は、ベースと、前記ベースに配置した第1係合部と、前記第1係合部に対して、はめ込みと取り外しが可能な機能性モジュールボタンと、前記機能性モジュールボタンに給電する導電線を有することを特徴とする（請求項１）。
【０００７】
好ましくは、前記物品は、他の機能性モジュールボタンに対して給電するバッテリーモジュールボタンを有する（請求項２）。
【０００８】
好ましくは、前記物品は、さらに加えて、外部装置に対して送受信を可能とする送受信モジュールボタン、物体の移動速度を計測する機能を有する加速度センサモジュールボタン、画像を撮影する機能を有するカメラモジュールボタン、録音・集音・拡声機能を有するマイク・スピーカーモジュールボタン、位置情報を得る機能を有するＧＰＳセンサモジュールボタン、他のモジュールボタンを操作する機能を有するタッチボタン、データを記憶する機能を有するメモリーモジュールボタン、キーを使わずにロック解除する機能を有するリモートキーモジュールボタン、着用者の脈拍を検知する機能を有するバイタルセンサーモジュールボタン、振動を感知する機能を有するバイブセンサーモジュールボタンのうちの少なくとも１つを有する（請求項３）。
【０００９】
好ましくは、導電線はベース内部に埋め込まれていて洗濯に耐えられるものである（請求項４）。
【００１０】
好ましくは、本発明の物品は、例えば、テープ、ワッペン、プレートのいずれかである（請求項５）。
【００１１】
本発明は、別の形態では、請求項１の物品と組み合わせて使用する第２の物品であって、ベースと、前記ベースの外側に配置した第２係合部と、前記ベースの内側に配置した及び第３係合部と、前記第３係合部に対して、はめ込みと取り外しが可能な機能性モジュールボタンと、前記機能性モジュールボタンに給電する導電線を有するものであって、前記第３係合部に対して、請求項１の物品の前記機能性モジュールボタンがはめ込みと取り外し可能であることを特徴とする物品である（請求項６）。
【００１２】
本発明の物品を使用した製品は、例えば、衣服、装身具、カバン、カーテンである（請求項７〜１０）。
【発明の効果】
【００１３】
本発明の物品は、ベースに配置した第1係合部と、前記第1係合部に対して、はめ込みと取り外しが可能な機能性モジュールボタンを有する。その結果、各種電子機器がモジュールボタンとなって、簡単に衣服やカバンにはめ込んで取り付けられるようになった。例えば、衣服では脱がない限り、絶えず身に着けることになり、紛失のおそれがなく、また超軽量で目立たないので、見栄えもよいものとなった。
【００１４】
以下、添付の図面に基づき、本発明の実施例を説明する。
【図面の簡単な説明】
【００１５】
【図１】本発明の１実施例であるテープの斜視図である。
【図２】図１のテープの（ａ）正面図、（ｂ）背面図、（ｃ）側面図、（ｄ）縦断面図、（ｅ）平面図である。
【図３】機能性モジュールボタンの（ａ）正面図、（ｂ）背面図、（ｃ）側面図、（ｄ）縦断面図、（ｅ）平面図である。
【図４】図２（ｄ）の部分拡大図であり、（ａ）ははめ込み前、（ｂ）ははめ込み後である。
【図５】本発明の別実施例（実施例２）であるテープの斜視図である。
【図６】図５のテープの（ａ）正面図、（ｂ）背面図、（ｃ）側面図、（ｄ）縦断面図、（ｅ）平面図である。
【図７】図６（ｄ）の部分拡大図であり、（ａ）ははめ込み前、（ｂ）ははめ込み後である。
【図８】（ａ）〜（ｋ）は機能性モジュールボタン正面図の例である。
【図９】図１のテープを取り付けた衣服（実施例３）の斜視図である。
【図１０】図１のテープを取り付けたカバンの斜視図（実施例４）である。
【図１１】図５のテープを取り付けた衣服（実施例５）の斜視図である。
【図１２】図５のテープを取り付けたカーテン（実施例６）の斜視図である。
【図１３】本発明のさらに別の実施例（実施例７）にかかるテープであり、（ａ）は正面側から見た斜視図、（ｂ）は背面側から見た斜視図である。
【図１４】図１３のテープの（ａ）正面図、（ｂ）背面図、（ｃ）側面図、（ｄ）縦断面図、（ｅ）平面図である。
【図１５】図１３のテープにはめ込むモジュールボタンの（ａ）正面図、（ｂ）背面図、（ｃ）側面図、（ｄ）縦断面図、（ｅ）平面図である。
【図１６】図１３のテープと図１５のモジュールボタンの係合状態を示す断面図（図１４の矢視図）であり、（ａ）ははめ込み前、（ｂ）ははめ込み後である。
【実施例１】
【００１６】
図１、図２は、本発明実施例に係る機能性モジュールボタン１３を有する物品の一例であるテープ１である。そのサイズは、これを装着して用いる各種製品の形状に合わせて、例えば、幅：１〜５ｃｍ、長さ：３〜５０ｃｍである。
【００１７】
テープ１のベースとなるテープ生地１１は、織物・編物のほか、合成樹脂や強靭な紙でもよい。テープ生地１１上に所定間隔を置いて、複数個のホック雌部材１２が取り付けられている。
【００１８】
ホック雌部材１２をテープ生地１１に取り付けるには、テープ生地１１が合成樹脂のフィルム状又は板状テープの場合、テープ１１とホック雌部材１２とともに一体成形するのが好ましい。
【００１９】
テープ生地１１が織物・編物の場合は、ファスナ成形用空間を形成した上下金型（図示せず）間に、成形圧力によって織目・編目を通過浸透する粗さの、生地テープ１１を配設し、その後、ホック雌部材１２となる合成樹脂を前記成形空間内に射出して形成するのが好ましい。
【００２０】
テープ生地１１としては、溶融されることなく溶融樹脂が付着又は透過する生地であることが必要である。天然繊維としては、綿、麻、生糸、羊毛などがあり、合成樹脂としては、ナイロン、ポリエステル、アクリル、ポリプロピレン、アセテート、レーヨンなどがある。
【００２１】
ホック雌部材１２となる合成樹脂としては、耐熱性、耐光性、機械的強度等に優れた、ポリエステル、ポリイミド、塩化ビニル、エポキシ樹脂等が好ましい。
【００２２】
ホック雌部材１２の取付個数は１個以上であり、好ましくは、３〜１０個程度である。各ホック雌部材１２同士の取付間隔は用途や装着場所の広さによるが、普通は２〜５ｃｍ程度である。
【００２３】
このホック雌部材１２のそれぞれに対して、はめ込みと取り外しが可能な雄部材形状を有する機能性モジュールボタン１３が取り付けられる。各モジュールボタン１３の大きさは通常、０．８〜４ｃｍ程度である。
【００２４】
ホック雌部材１２にモジュールボタン１３をはめ込むには、ちょうど雌雄スナップボタンを結合させるときのように、モジュールボタン１３の端子１４（図３（ｂ）参照）側を下にして押し込むことによるのが好ましい。ホック雌部材１２とモジュールボタン１３それぞれの端子１４，１５を接触させる際に、接触の方向を間違えないようにするため、及び、モジュールボタン１３の有する機能を明示するため、モジュールボタン１３の適当な位置に記号１６や目印をつけておくことが好ましい（図８（ａ）〜（ｋ）参照）。
【００２５】
機能性モジュールボタン１３としては、例えば、次のようなものが挙げられる。
（１）物体の移動速度を計測する機能を有する加速度センサモジュールボタン（図８（ａ））、
（２）画像を撮影する機能を有するカメラモジュールボタン１３１（図８（ｂ））、
（３）録音・集音・拡声機能を有する、マイク・スピーカーモジュールボタン１３６（図８（ｃ））、
（４）位置情報を得る機能を有するＧＰＳセンサモジュールボタン（図８（ｄ））、
（５）外部装置に対して送受信を可能とする機能を有する送受信モジュールボタン１３２（図８（ｅ））、
（６）他のモジュールボタンを操作する機能を有するタッチセンサーモジュールボタン１３４（図８（ｆ））、
（７）データを記憶する機能を有するメモリーモジュールボタン（図８（ｇ））、
（８）他の機能性モジュールボタンに給電する機能を有するバッテリーモジュールボタン１３３（図８（ｈ））、
（９）キーを使わずにロック解除する機能を有するリモートキーモジュールボタン（図８（ｉ）、
（１０）着用者の脈拍を検知する機能を有するバイタルセンサーモジュールボタン（図８（ｊ））、
（１１）振動を感知する機能を有するバイブセンサーモジュールボタン（図８（ｋ））。
【００２６】
以上のほかにもさらに別の機能を有するモジュールボタンを設けることができるのはもちろんである。また、これらのモジュールボタンをさまざまに組み合わせていろいろな用途に利用することができる。
【００２７】
電源としては、上記例（８）のようにバッテリーモジュールボタンとすることが好ましいが、その他外部の各種電池を用いることができる。そのほかのモジュールボタンについても、好ましいことではないが必要なら、外部の電子機器でそれぞれ代用することができる。
【００２８】
これらの機能性モジュールボタン１３に給電するため、テープ生地１１には、各ホック雌部材１２の間を接続するように導電線１７が配置されている。導電線１７は洗濯にも耐えられるようにベース１内部に埋め込むことが好ましい。
【００２９】
ベース１１上に導電線を配置する方法については、特に制限はなく、例えば、次のようなそれ自体公知の方法を採用することができる。
（ａ）両面粘（接）着テープの片面又は粘（接）着テープの粘（接）着面に金属箔の線条を貼着する、
（ｂ）フィルム状又は板状基材上に粘（接）着剤付き金属箔の線条を貼着する
（ｃ）フィルム状又は板状基材上に金属膜を蒸着により形成する、
（ｄ）フィルム状又は板状基材上に導電性ペイントを印刷する、
（ｅ）フィルム状又は板状基材及び金属箔の積層体の金属箔部分をエッチングする、
（ｆ）両面粘（接）着テープの片面又は粘（接）着テープの粘（接）着面に金属線を貼着する、及び
（ｇ）両面粘（接）着テープの片面又は粘（接）着テープの粘（接）着面にフラットケーブルを貼着する等の方法。
【００３０】
機能性モジュールボタン１３付きのベース１を取り付けた衣服Ｊ１（図９参照）などを洗濯するときには、ベース１を残したまま、モジュールボタン１３のみを取り外して行うのが便利である。
【００３１】
以上、物品がテープである場合について詳述してきたが、そのほか、物品はワッペン（図示せず）やプレート（図示せず）であってもよい。物品の素材は金属や硬質合成樹脂板であってもよい。ワッペンやプレートの場合、洗濯時はモジュールボタン１３のみならず、物品ごと取り外すのがよいのは言うまでもない。
【実施例２】
【００３２】
図１のテープ１は１個の独立した物品であったが、図５の実施例は２個のテープ１、１Ａで１対の物品になるものである。これらのテープを２枚の布地Ｆ１、Ｆ２のそれぞれに取り付け、互いに付着させたり、分離させたりすることができる。
【００３３】
図５の右側にあるテープ１は実施例１と同じであるので、同じ符号を付して説明は省略する。
【００３４】
図５の左側にあるテープ１Ａも外（表）側は実施例１と同じであるので、同じ符号に「Ａ」を付して説明は省略する。テープ１Ａの内（裏）側には、図６の（ｃ）（ｄ）及び図７（ａ）ｂ）に示すように、別の雌部材１２Ｂが形成されている。この裏側雌部材１２Ｂに対してテープ１のモジュールボタン１３がはめ込み・取り外し自在なようにサイズを設定する。
【００３５】
この実施例ではテープ１側のモジュールボタン１３はテープ１Ａ側の雌部材１２Ｂの中に隠れてしまう。そのため、カメラモジュールボタンやタッチセンサーモジュールボタンとしては使用できなくなってしまう欠点がある。しかし、隠れてもよいもの、例えばバッテリーモジュールボタンであれば、使用可能である。また、一時的にはめ込みを解除すれば本来の機能を回復するのであるから、大きな欠点ではない。むしろモジュールボタンの数を倍増させることができるという長所を有する。
【実施例３】
【００３６】
図９は衣服Ｊ１の実施例である。この衣服Ｊ１には、カメラモジュールボタン１３１、送受信モジュールボタン１３２、バッテリーモジュールボタン１３３を有するテープ１が取り付けられている。テープ１を衣服に取り付けるには、縫製でも面ファスナ接着でもよい。衣服Ｊ１を着たまま、カメラモジュールボタン１３１を被写体に向け、例えばタッチモジュールボタンを操作して撮影する。撮影データは送受信モジュールボタン１３２により、スマートフォン（図示せず）などの外部装置に対して送信され、その画面に映し出される。送受信方法は、例えばBluetooth（登録商標）などそれ自体公知の規格を採用することができる。
【実施例４】
【００３７】
図１０はカバンＢの実施例である。このカバンＢには、カメラモジュールボタン１３１、送受信モジュールボタン１３２、バッテリーモジュールボタン１３３、バイブセンサーモジュールボタン１３４を有するテープ１が取り付けられている。カバンの持主不在のときに誰かがカバンＢを持ち去ろうとしたときにバイブセンサーモジュールボタン１３４が検知して、持ち去ろうとした人を撮影するとともに、持主に撮影データを自動送信することができる。
【実施例５】
【００３８】
図１１は別の衣服Ｊ２の実施例である。この衣服Ｊ２には、ＧＰＳモジュールボタン１３５、マイク・スピーカーモジュールボタン１３６、送受信モジュールボタン１３２、バッテリーモジュールボタン１３３を有するテープ１と１Ａが取り付けられている。例えば、子供にこの衣服Ｊ２を着せることにより、スマートフォンを手にした親はＧＰＳモジュールボタン１３５により子供の位置を知るとともに、マイク・スピーカーモジュールボタン１３６を介して子供と会話することができる。
【実施例６】
【００３９】
図１２はカーテンＣの実施例である。このカーテンＣには、バイブセンサーモジュールボタン１３４、マイク・スピーカーモジュールボタン１３６、送受信モジュールボタン１３２、バッテリーモジュールボタン１３３を有するテープ１と１Ａが取り付けられている。例えば、独居老人の住む部屋にこのカーテンＣを取り付ける。老人がカーテンＣを開け閉めするたびにバイブセンサーボタン１３４がこれを検知して、別の場所にいる介護者のスマートフォンに老人の無事を知らせることができる。
【実施例７】
【００４０】
図１３〜１６は、テープのさらなる変形実施例を示している。この実施例では、ベース１１Ｂに配置した係合部１２Ｃは多数の円柱状孔２１を有する一種の面ファスナである。これに対して、はめ込みと取り外しが可能な機能性モジュールボタン１３Ｂはブロック状であって、その係合部はベース側の円柱状孔２１にはまりあう多数の円柱状突起２２である。導電線端子１７Ｂは円柱状突起２２の側部または頂部に露出して、機能性モジュールボタン１３Ｂに給電する。
【００４１】
ブロック本体のモジュールボタン１３Ｂの有する機能は前記各実施例と同様である。しかし一方、前記各実施例と異なり、機能性モジュールボタン１３Ｂの形状は円形だけでなく、四角形を始めさまざまに変化させることができる。さらにモジュールボタン１３Ｂとベース側係合部１２Ｃの嵌りあいをさまざまに変化させることができる。すなわち、モジュールボタン１３Ｂの特定の突起のみをベース側係合部１２Ｃと係合させたり、位置をずらしたり、回転させて置いたりすることができ、そのことに特別な意味を持たせることができる。例えば、マイク・スピーカーモジュールボタンの音量調節に利用することができる。
【００４２】
図示しないがさらにさまざまなタイプのブロック状の面ファスナ（例えば、特開２０１０-６８９２８）に対しても適用可能である。
【符号の説明】
【００４３】
１     物品（テープ）
１Ａ   物品（第２のテープ）
１Ｂ  実施例７の物品（テープ）
１１   ベース（テープ生地）
１１Ａ  第２の物品のベース（テープ生地）
１１Ｂ  実施例７の物品のベース（テープ生地）
１２   ホック雌部材（第１係合部）
１２Ａ  第２の物品のホック雌部材（第２係合部）
１２Ｂ  第２の物品のホック雌部材（第３係合部）
１２Ｃ  円柱状の突起（実施例７の係合部）
１３     機能性モジュールボタン
１３Ａ  第２の物品の機能性モジュールボタン
１３Ｂ  実施例７の機能性モジュールボタン
１３１   カメラモジュールボタン
１３２   送受信モジュールボタン
１３３   バッテリーモジュールボタン
１３４   バイブセンサーモジュールボタン
１３５   ＧＰＳモジュールボタン
１３６   マイク・スピーカーモジュールボタン
１４   端子
１５   端子
１６   記号
１７  導電線
２１  円柱状の孔
２２  円柱状突起
１７Ａ  第２の物品の導電線
１７Ｂ  実施例７の導電線
Ｂ     カバン
Ｃ     カーテン
Ｆ１   布地
Ｆ２  布地
Ｊ１   衣服
Ｊ２   衣服
【図１】
2018007990.tif 000003
【図２】
2018007990.tif 000004
【図３】
2018007990.tif 000005
【図４】
2018007990.tif 000006
【図５】
2018007990.tif 000007
【図６】
2018007990.tif 000008
【図７】
2018007990.tif 000009
【図８】
2018007990.tif 000010
【図９】
2018007990.tif 000011
【図１０】
2018007990.tif 000012
【図１１】
2018007990.tif 000013
【図１２】
2018007990.tif 000014
【図１３】
2018007990.tif 000015
【図１４】
2018007990.tif 000016
【図１５】
2018007990.tif 000017
【図１６】
2018007990.tif 000018
【手続補正書】
【提出日】平成28年7月19日(2016.7.19)
【手続補正１】
【補正対象書類名】図面
【補正対象項目名】図１０
【補正方法】変更
【補正の内容】
【図１０】
2018007990.tif 000019
【手続補正２】
【補正対象書類名】図面
【補正対象項目名】図１１
【補正方法】変更
【補正の内容】
【図１１】
2018007990.tif 000020
【手続補正３】
【補正対象書類名】図面
【補正対象項目名】図１２
【補正方法】変更
【補正の内容】
【図１２】
2018007990.tif 000021
【手続補正４】
【補正対象書類名】図面
【補正対象項目名】図１３
【補正方法】変更
【補正の内容】
【図１３】
2018007990.tif 000022
【手続補正５】
【補正対象書類名】図面
【補正対象項目名】図１４
【補正方法】変更
【補正の内容】
【図１４】
2018007990.tif 000023
【手続補正６】
【補正対象書類名】図面
【補正対象項目名】図１５
【補正方法】変更
【補正の内容】
【図１５】
2018007990.tif 000024
【手続補正７】
【補正対象書類名】図面
【補正対象項目名】図１６
【補正方法】変更
【補正の内容】
【図１６】
2018007990.tif 000025